(57)【要約】ショート・メッセージ・サービスのテキスト・メッセージ（１２）を受信可能な移動無線ハンドセット（１０、２４）は、入ってくるテキスト・メッセージ（１２）を検査し、一つ以上の文字からなる認識文字列を受信したかどうかを調べて、その文字列を受信したときはいつも、その認識文字列に応じて、表示スクリーン（１４）上に表示すべき保存イメージ（２６、２８、３０、３２、３４）を検索して表示する。イメージ（２６、２８、３０、３２、３４）は、単独で、あるいはその表示を引き出したテキスト（１２）と共に示すことができる。それらのイメージ（２６、２８、３０、３２、３４）は、ハンドセット（２４）のユーザーが提供しても、あるいは移動電話回線網内のサーバーまたは中央データ・ベース（８０）から得てもよい。イメージ（２６、２８、３０、３２、３４）は、静的なイメージあるいはアニメーションを含むことができる。静的なイメージは写真を含むことができる。テキスト・メッセージ（１２）と同様に、発呼者の発呼者位置認証標識（ＣＬＩ）も、電話応答者が選択した表示を呼び出すのに用いることができる。本発明の処理は、テキスト・メッセージ（１２）を受信することが可能ではあるが本発明が使用可能とはなっていないハンドセット（１０、２４）に対しても互換性がある。
2004533688.tif 000002
【特許請求の範囲】
【請求項１】
スクリプトを表現するための方法であって、スクリプトを、データベース内の表示データへのポインタとして認知するステップ、前記ポインタを用いてデータベースから表示を検索するステップ、そしてこの表示をスクリプトに応じて表示するステップを含む方法。
【請求項２】
前記スクリプトの代わりに前記表示を表示することを含む、請求項１による方法。
【請求項３】
前記スクリプト及び前記表示を表示することを含む、請求項１による方法。
【請求項４】
前記スクリプトが単一の文字からなる、請求項１、請求項２あるいは請求項３による方法。
【請求項５】
前記スクリプトが複数の文字からなる、請求項１、請求項２あるいは請求項３による方法。
【請求項６】
前記複数の文字の少なくともいくつかが、互いに隣接する、請求項５による方法。
【請求項７】
前記表示が画像を含む、前記請求項のいずれかによる方法。
【請求項８】
前記表示がアニメーションを含む、前記請求項のいずれかによる方法。
【請求項９】
前記表示が三次元構成を含む、前記請求項のいずれかによる方法。
【請求項１０】
前記三次元構成が、動画表示を生成するように動かせる、請求項９による方法。
【請求項１１】
前記データベースが複数の表示セットからなり、表示すべき表示セットが選択可能である、前記請求項のいずれかによる方法。
【請求項１２】
前記データベースが、遠隔ソースから表示データを得るように操作可能である、前記請求項のいずれかによる方法。
【請求項１３】
前記遠隔ソースがサーバーを含む、請求項１２による方法。
【請求項１４】
前記遠隔ソースがカメラを含む、請求項１２あるいは請求項１３による方法。
【請求項１５】
前記遠隔ソースへのアクセスが、インターネット・アクセスを含む、請求項１２、１３あるいは１４による方法。
【請求項１６】
前記遠隔ソースへのアクセスが、電話アクセスを含む、請求項１２、１３、１４あるいは１５による方法。
【請求項１７】
コンピュータと用いる、前記請求項のいずれかによる方法。
【請求項１８】
前記コンピュータがインターネット・サービスに接続可能である、請求項１７による方法。
【請求項１９】
移動通信装置と用いる、請求項１から１５のいずれかによる方法。
【請求項２０】
前記移動通信装置が移動電話である、請求項１９による方法。
【請求項２１】
前記スクリプトが発呼者アイデンティティーを表す、請求項１９あるいは請求項２０による方法。
【請求項２２】
前記スクリプトが選択可能である、前記請求項のいずれかによる方法。
【請求項２３】
前記表示が選択可能である、前記請求項のいずれかによる方法。
【請求項２４】
前記データベースが受信装置内にある、請求項１、請求項２あるいは請求項３による方法。
【請求項２５】
スクリプトを表現するための装置であって、スクリプトを、データベース内の表示データへのポインタとして認知する手段、前記ポインタを、データベースから表示イメージを検索するために用いる手段、そしてスクリプトに応じて表示イメージを表示するスクリーンからなる装置。
【請求項２６】
前記スクリーンが、前記スクリプトの代わりに前記表示イメージを表示するように操作可能である、請求項２５による装置。
【請求項２７】
前記スクリーンが、前記スクリプト及び前記表示イメージを表示するように操作可能である、請求項２５による装置。
【請求項２８】
前記スクリプトが単一の文字からなる、請求項２５、請求項２６あるいは請求項２７による装置。
【請求項２９】
前記スクリプトが複数の文字からなる、請求項２５、請求項２６あるいは請求項２７による装置。
【請求項３０】
前記複数の文字の少なくともいくつかが、互いに隣接する、請求項２９による装置。
【請求項３１】
前記表示イメージが画像を含む、請求項２５から３０のいずれかによる装置。
【請求項３２】
前記表示イメージがアニメーションを含む、請求項２５から３１のいずれかによる装置。
【請求項３３】
前記表示が三次元構成を含む、請求項２５から３２のいずれかによる装置。
【請求項３４】
前記三次元構成が、動画表示を生成するように動かせる、請求項３３による装置。
【請求項３５】
前記データベースが複数の表示セットからなり、表示すべき表示セットが選択可能である、請求項２５から３４のいずれかによる装置。
【請求項３６】
前記データベースが、遠隔ソースから表示データを得るように操作可能である、請求項２５から３５のいずれかによる装置。
【請求項３７】
前記遠隔ソースがサーバーを含む、請求項３６による装置。
【請求項３８】
前記遠隔ソースがカメラを含む、請求項３６あるいは請求項３７による装置。
【請求項３９】
前記遠隔ソースへのアクセスが、インターネット・アクセスを含む、請求項３６、３７あるいは３８による装置。
【請求項４０】
前記遠隔ソースへのアクセスが、電話アクセスを含む、請求項３６、３７、３８あるいは３９による装置。
【請求項４１】
コンピュータと用いる、請求項２５から４０のいずれかによる装置。
【請求項４２】
前記コンピュータがインターネット・サービスに接続可能である、請求項４１による装置。
【請求項４３】
移動通信装置と用いる、請求項２５から４０のいずれかによる装置。
【請求項４４】
前記移動通信装置が移動電話である、請求項４３による装置。
【請求項４５】
前記スクリプトが発呼者アイデンティティーを表す、請求項４３あるいは請求項４４による装置。
【請求項４６】
前記スクリプトが選択可能である、請求項２５から４５のいずれかによる装置。
【請求項４７】
前記表示イメージが選択可能である、請求項２５から４６のいずれかによる装置。
【請求項４８】
前記データベースが受信装置内にある、請求項２５、請求項２６あるいは請求項２７による装置。
【発明の詳細な説明】
【技術分野】
【０００１】
本発明は、メッセージ交換に関し、特に、通信環境での英数字メッセージ交換に関する。さらに、本発明は、小型携帯無線電話機、あるいは他の無線電話システムにおける「テキスト・メッセージ交換」に関する。
【背景技術】
【０００２】
主にデュプレックス（二方向）音声コミュニケーションのためにデザインされた小型携帯無線電話機は、シンプレックス（一方向）テキスト・メッセージ交換にも適応している。ユーザーが（移動電話キーパッドの限られたボタン・セット上で、マルチストローク・キーイングを用いて）メッセージをタイプすると、それがユーザーのスクリーン上に表示される。このテキスト・メッセージの内容にユーザーが満足なら、メッセージは、ユーザーが選択した一人の受取人、または複数の受取人に送られる。これは、シンプレックス（一方向）プロセスである。テキスト・メッセージが送信され、単純に到着する。到着時、受取人の移動電話は、（その設定に応じて）鳴る、あるいは鳴らない。とにかく、受取人は、音（例えば、モールス符号．．．−−．．．）あるいはアイコンの表示、または他の方法で、彼あるいは彼女の注意が促され、「ショート・メッセージ・サービス」（ＳＭＳ）のメッセージがあることを知る。受取人がテキスト・メッセージを見るときは、英数字や他のスクリプト文字が表示される。テキスト・メッセージは、概して、所定数の文字よりも少ない（約１００位に）制限されるので、より大きな意味を持つテキスト・メッセージを構成する巧みな工夫が必要である。
【発明の開示】
【発明が解決しようとする課題】
【０００３】
モールス符号通信で用いるものに匹敵するような、略語やスペルの短縮の使用と共に、テキスト・メッセージャ（テキスト・メッセージの送り手あるいは受け手のためのネオロジズム）は、自由に使える、抽象概念を表現する複数のアイコンを持つ。これらのアイコンは、概して、アスキー文字セットの第二部分から得られるスクリプト文字であり、アスキー文字セットの第一部分の英数字以上のスペースは取らない。このようなアイコンには、
【０００４】
2004533688.tif 000003
【０００５】
等がある。感情を表現するものは、エモティコン（感情のアイコン）と呼ばれることがある。これらの追加のシンボルにもかかわらず、テキスト・メッセージの内容は、注目値あるいは娯楽値が低い、あるいは足りない。したがって、本発明は、文字数制限範囲に留まりながら、テキスト・メッセージ交換に対して内容の強化を提供することを目的とする。
【課題を解決するための手段】
【０００６】
第一の局面によれば、本発明は、テキスト・メッセージを表示するための、次のステップを含む方法である。テキスト・メッセージ文字列内において一つ以上の連続した文字を識別するステップ。前記一つ以上の連続した文字を、表示を識別するために用いるステップ。そして前記一つ以上の連続した文字の表現に応じて、表示を呼び出して表示するステップ。
【０００７】
第一の局面によれば、本発明は、スクリプトを表現するための、次のステップを含む方法である。スクリプトを、データベース内の表示データへのポインタとして認知するステップ。前記ポインタを用いて、データベースから表示を検索するステップ。そしてその表示をスクリプトに応じて表示するステップ。
【０００８】
もう一つの局面によれば、本発明は、スクリプトを表現するための、次のものからなる装置である。スクリプトを認識するための手段。表示データを含むデータベース。認識スクリプトを、データベース内の表示データへのポインタとして用いる手段。前記ポインタを、データベースから表示データを検索するために用いる手段。そしてポインタによって選択した箇所に、検索した表示を表示する手段。
【０００９】
本発明は、また、スクリプトの代わりに表示を表示することを提供する。
【００１０】
本発明は、また、スクリプトと表示とを表示することを提供する。
【００１１】
本発明は、また、スクリプトが単一の文字からなることを提供する。
【００１２】
本発明は、また、スクリプトが複数の文字からなることを提供する。
【００１３】
本発明は、また、前記複数の文字の少なくともいくつかが、互いに隣接することを提供する。
【００１４】
本発明は、さらに、表示が画像を含むことを提供する。
【００１５】
本発明は、さらに、表示がアニメーションを含むことを提供する。
【００１６】
本発明は、さらに、表示が三次元構成を含むことを提供する。
【００１７】
本発明は、さらに、三次元構成が、動画表示を生成するように動かせることを提供する。
【００１８】
本発明は、さらに、データベースが複数の表示セットからなり、表示すべき表示セットが選択可能であることを提供する。
【００１９】
本発明は、さらに、データベースが遠隔ソースから表示データを得ることを提供する。
【００２０】
本発明は、さらに、遠隔ソースがサーバーを含むことを提供する。
【００２１】
本発明は、さらに、遠隔ソースがカメラを含むことを提供する。
【００２２】
本発明は、さらに、遠隔ソースへのアクセスが、インターネット・アクセスを含むことを提供する。
【００２３】
本発明は、さらに、遠隔ソースへのアクセスが、電話アクセスを含むことを提供する。
【００２４】
本発明は、さらに、コンピュータと用いることを提供する。
【００２５】
本発明は、さらに、コンピュータがインターネット・サービスに接続可能であることを提供する。
【００２６】
本発明は、また、移動通信装置と用いること提供する。
【００２７】
本発明は、さらに、移動通信装置が移動電話であることを提供する。
【００２８】
本発明は、さらに、スクリプトが発呼者アイデンティティーを表すことを提供する。
【００２９】
本発明は、さらに、スクリプトが選択可能であることを提供する。
【００３０】
本発明は、さらに、表示が選択可能であることを提供する。
【００３１】
本発明を、一例として添付の図面を参照しながら、さらに説明する。
【発明を実施するための最良の形態】
【００３２】
図１は、本発明を適用する環境を示す。発呼ハンドセット１０のスクリーン１４上に、キーボード１６によってテキスト・メッセージ１２を作成する。テキスト・メッセージ１２を作成した後、発呼ハンドセット１０のユーザーは、テキスト・メッセージを受信基地局１８（通常、最も近くの、発呼ハンドセットがその瞬間に登録されている基地局）へ送信する。この基地局は、そのテキスト・メッセージを、交換電話回線網２０を介して、受信ハンドセット２４が登録されている送信基地局２２へ転送する。受信基地局２２はテキスト・メッセージ１２を受信ハンドセット２４へ送信し、受信ハンドセットは、自動的にテキスト・メッセージ１２を受信して保存し、そして受信したことを受取人へ知らせる。受取人は、その時、あるいはその後、テキスト・メッセージ１２を見ることができる。
【００３３】
図２は、テキスト・メッセージ交換で用いるアイコンのいくつかを示す。笑顔２６は満足を示し、不機嫌な顔２８は、不満あるいは怒りを示す。腕時計３０は時間を示す。封筒３２はメッセージを示し、ハート３６は、愛あるいは愛情を示す。リストはエンドレスである。アイコンのいくつかは、第二のアスキー記号あるいは文字セットから単純に抽出したものである。他のものは、特定なキーストロークあるいはデータ・バイトに応じてハンドセット１０、２４が置換するものである。他の、慣習から生じた「：−）」等の句読記号文字の組合せを用いることもできる。この場合は笑顔アイコン２６を示す。ほぼ非アイコン的な慣習もある。例えば、ＣＵＬ８Ｒ？：−）は、「後で会えるかな、会えることを考えると幸せだ。」ということを意味する。本発明の目的は、アイコン的な、そして略語的な文脈の両方に、変化する慣習に応答して、付加的な有用性を提供することである。
【００３４】
さて、ハンドセット１０、２４の一般的な部品を概略的にを示す図３に注目する。移動電話１０、２４の「世代」に拘わらず、移動電話のすべては、図３に示すものと同じ部品を持つ。
【００３５】
無線周波数セクション３６は、ハンドセット１０、２４のすべての無線受信及び無線送信機能を提供する。コントローラ３８は、無線周波数セクション３６から信号を受け、また、無線周波数セクション３６へ送信信号を送り、操作命令も提供する。本発明の観点から、無線周波数セクション３６が、どの周波数、通信規格、あるいは他のプロトコルを持つかは重要ではない。重要なことは、コントローラ３８からの命令で、メッセージが送受信されることである。
【００３６】
コントローラは、キーボード１６からのユーザー入力を受信して、スクリーン１４上に表示すべきイメージを送信する。コントローラ３８は、パソコンのものと同様な、中央処理装置４０からなる。中央処理装置４０は、ランダムアクセス・メモリ（ＲＡＭ）４２、読み出し専用メモリ（ＲＯＭ）４４及び電気的に書き換え可能な読取り専用メモリ（ＥＡＲＯＭ）４６と共に作動する。ＲＡＭ４２は、瞬時に機能するメモリであって、即座のメモリの必要を担う。ＲＡＭ４２は、電力を除くと、内容がすべて失われる。ＲＯＭ４４は、プロセッサ３８が機能するのに不可欠なプログラム及びパラメータを含み、それらのプログラム及びパラメータは決して変化することはない。ＲＯＭ４４は永久にその内容を保持するため、内容を変えることはできない。ＥＡＲＯＭ４６は、通常、永久的なものではあるが、非常にまれに変更を加える可能性がある情報を含む。ＥＡＲＯＭ４６は、電力が除かれてもその内容を保持するが、特別な信号を与えた場合、その内容を変えることができる。メモリ４２、４４、４６は、コントローラ３８を収容する回路基板上に部分的に位置し、（特に、いくつかのＲＯＭ及びＥＡＲＯＭは、）ユーザーのネットワーク接続、初期設定、電話帳等の移植性をハンドセット間に提供するために、ハンドセット１０、２４内に挿入されるＳＩＭカード上に部分的に位置する。さらに、音声回路４８は、スピーカ５０を駆動し、またマイクロホン５２から信号を受信して、コントローラ３８と相互作用することで、ハンドセット１０、２４に会話機能を提供する。
【００３７】
さて、図４に注目する。この簡潔なフローチャートは、本発明に適応していないハンドセット１０、２４との本発明の互換性を示す。第一の処理５４は、ハンドセット１０、２４にテキスト・メッセージを受信させる。テキスト・メッセージは、「通常の」テキスト・メッセージ交換で既知である通常の文字のみからなる。第一のテスト５６は、ハンドセット１０、２４が、本発明が関する追加表示を提供できる状態であるかどうかをチェックする。ユーザーが追加表示機能を作動させていない場合、第二の処理５８は、ハンドセット１０、２４に、通常の方法でテキスト・メッセージを表示させる。ユーザーが追加表示機能を作動させている場合、第三の処理６０は、ハンドセット１０、２４に、本発明の追加表示を加えさせる。しかし、もしハンドセット１０、２４が、本発明による機能に適応したタイプではない場合には、テキスト・メッセージは通常の方法で単純に表示される。
【００３８】
さて、図４の第三の処理６０を拡張する図５に注目する。第四の処理６２は、ハンドセット１０、２４に、受信したばかりのテキスト・メッセージを検査させる。ハンドセット１０、２４のユーザーは、まだテキスト・メッセージを検査していない（読んでいない）。第四の処理６２は、テキスト・メッセージの通常の内容に対して、ハンドセット１０、２４が追加表示のトリガーとして用いる文字列を検索する。その後、第五の処理６４は、各トリガリング文字列が示す表示ルーチンを呼び出す。それから、第六の処理６６は、トリガリング文字列を含むテキスト・メッセージの部分が読み取られるときにはいつも、各トリガリング文字列が示す各々の追加表示を提供させる。
【００３９】
さて、図５の第五の処理６４を拡張する図６に注目する。第四の処理６４からの入り口６８は第七の処理７０へ導き、ハンドセット１０、２４は、テキスト・メッセージ内の文字列によって呼び出される追加表示を生成するための命令が存在するかどうか、ＲＯＭ４４そして／あるいはＥＡＲＯＭ４６内を検索する。いくつかのルーチンはＲＯＭ４４内に永久的に保存されているが、他のルーチンは、長期に渡って得られる、ＥＡＲＯＭ４６に保存されるものである。第二のテスト７２が、適当なルーチンが既に保存されていることを検出した場合、第八の処理７４は、保存ルーチンから作動パラメータを生成し、それらが第六の処理６６で用いられるよう、出口７６がある。第二のテスト７２が、必要なルーチンがＲＯＭ４４あるいはＥＡＲＯＭ４６内に保存されていることを検出しない場合は、第九の処理７８は、中央サーバーから必要なルーチンを得て、そのルーチンを、その後の使用のためにＥＡＲＯＭ４６内に保存し、第八の処理７４に制御を渡す。第八の処理では、第六の処理６６での使用のために、作動パラメータが生成される。
【００４０】
さて、図６の第九の処理７８の作動を表す、図７Ａ及び図７Ｂに注目する。必要なルーチンがない場合、図７Ａに示すように、受信ハンドセット２４は、自動的に、受信基地局２２を介して、交換電話回線網に接続されている中央データ・ベース８０へ電話をする。データベース８０は、必要なルーチンを検索して、図７Ｂに示すように、交換電話回線網及び受信基地局２２を逆方向に介して受信ハンドセット２４へ必要なルーチンを送信する。受信ハンドセット２４は、その必要なルーチンをＥＡＲＯＭ４６内に保存する。ＥＡＲＯＭ４６がＳＩＭカード上にある場合、ユーザーは、サービス提供業者あるいはハンドセット・モデルを変えるときに、ハンドセット２４からハンドセット２４へとルーチンを移植することができる。
【００４１】
受信ハンドセット２４からの必要なルーチンの要求の転送、そして受信ハンドセット２４への必要なルーチンの転送が、すべて、受信ハンドセット２４から生じる単一の自動発信の範囲内で行われることが好ましいが、本発明は、また、遅延が不可避である場合、データ・ベース８０が、受信ハンドセット２４への、第二の（呼び出しのない）自動発信によって、受信ハンドセット２４に返答することができることを提供する。
【００４２】
さて、図８を参照する。これは、テキスト・メッセージの受信のときに自動的に表示される追加イメージのスタイルを、ユーザーが選択する方法を表すフローチャートである。
【００４３】
テキスト・メッセージを受信すると、第十の処理８２は、各コール（テキストあるいは声）に添付され、ユーザーにコールの起源を示すのに役立つコード化メッセージ、ＣＬＩ（発呼者位置認証標識）を検査する。この機能は、本技術分野ではよく知られている。一般に、ＣＬＩは、ユーザーの保存「電話帳」を調べて、発呼者の名前を表示するために用いられる。省略時には、表示は全くない、あるいは数字表示だけが提供される。本発明は、ＣＬＩの利用をさらに広げる。第十の処理８２はＣＬＩをチェックする。第三のテスト８４が、テキスト・メッセージの送り手が、受信ハンドセット２４の電話帳内にないことを検出したとき、第十一の処理は、標準（デフォルト）セットのルーチンを選択して表示する。第三のテスト８４が、テキスト・メッセージの送り手が、受信ハンドセット２４の電話帳にあることを検出したとき、第四のテスト８８は、そのテキスト・メッセージの特定な送り手がテキスト・メッセージを送信するときに用いるべきルーチンの特別なセットを、受信ハンドセット２４のユーザーが選択しているかどうかをチェックする。ユーザーが、そのテキスト・メッセージの送り手に対して、特別なセットを選択しない場合、第十一の処理８６は、ルーチンの標準（デフォルト）セットを用いる。受信ハンドセット２４のユーザーが、そのテキスト・メッセージの特定な送り手に対してルーチンの特別なセットを選択している場合、第十二の処理９０は、（図７Ａ及び図７Ｂの処理を巻き込む可能性のある）ルーチンの特別なセットの検索を行い、そして第十三の処理９２は、テキスト・メッセージを読み取るときに使用すべき追加イメージを生成するために、その選択特別セットを用いる。出口９４は、図４の第一の処理５４へ導くことができる。
【００４４】
図９は、受信ハンドセット２４のユーザーが、特定な発呼者（テキスト・メッセージャ）に対して、ルーチンの特別なセットを適用する方法を表すフローチャートである。第十四の処理９６においては、ユーザーは、受信ハンドセット２４内の電話帳を開いてから、リストから特定な発呼者を選択する。第十五の処理９８では、ユーザーは、「表示設定」メニューを選択してから、ルーチンの適当なセットを選択する。第十六の処理１００は、その選択に対して選択セットの識別を保存し、図８に参照して説明したように使用する。
【００４５】
図１０Ａから１０Ｂは、本発明によって呼び出されるイメージの（デフォルト設定として有用な）一セットの例を示す。各イメージ内には、そのイメージを呼び出す文字列の例を示す。キャラクタは、ボールを持つ犬である。図１０Ａでは、犬はキスを飛ばしている。図１０Ｂでは、犬は幸せである。図１０Ｃでは、犬は悲しい。図１０Ｄでは、犬は驚いている。図１０Ｅでは、犬はその舌を突き出している。図１０Ｆでは、犬は怒っている。図１０Ｇでは、犬は眠っている。他のセットとして、異なる生物、異なるポーズ、そして異なる呼出コードを用いることができる。
【００４６】
図１０に示す例は、静的なイメージである。本発明によって呼び出されるルーチンは、等しく、一連のビルボードによって生成される、あるいは三次元モデルの動きを、二次元スクリーン１４に投影して生成される短いアニメーションでもよい。イメージあるいはアニメーションは、テキスト・メッセージ内の文字間に点在させても、あるいは、文字列が「ステージへ右側から入る」あるいは「ステージを左側へ出る」のに合わせて、スクリーン１４の全体あるいは一部分を満たすように用いてもよい。
【００４７】
（図８の）第十二の処理９０において、受信ハンドセット２４のユーザーは、ユーザーが選択するイメージを呼び出す特定な、あるいは新しい文字列を指定することができる。データベース８０から受信したイメージに対してそのようにすることができる。例えば、単語「愛」が現われる場合、ユーザーは、鼓動するハートのイメージあるいはアニメーションが現われるように指定することができる。嫌な人の名前が現われる場合、短剣のイメージ、突き刺すアニメーション、または、そのような器具あるいは動作が現われるように指定することができる。本発明は、また、選択イメージあるいはアニメーションを各発呼者に対して選択し、発呼者のアイデンティティーあるいは番号の代わりに選択イメージあるいはアニメーションを検索することを含むため、受取人は、通常の音声通話においても、発呼者を視覚的に識別することが可能である。
【００４８】
本発明は、また、ユーザーが、在庫ライブラリあるいはデータベースからではなく、デジタルカメラから、あるいはコンピュータに接続して、あるいは特別に予めプログラムしてある、またはプレインストールしたカードを挿入して、ハンドセットにロードしたイメージあるいはアニメーションを挿入することができることを含む。
【図面の簡単な説明】
【００４９】
【図１】本発明の実施例が設定される、移動電話テキスト・メッセージ交換環境を表す。
【図２】テキスト・メッセージ交換で現在用いられる、いくつかのスクリプト文字を示す。
【図３】実施例に関係する、移動電話の一般的な構成要素を示す。
【図４】修正テキスト・メッセージを処理する方法を示すフローチャートである。
【図５】修正テキスト・メッセージを表示する方法を示すフローチャートである。
【図６】表示ルーチンのための検索アクティビティを示すフローチャートである。
【図７Ａ】表示ルーチンをデータ・ベースから検索する環境及びステージを示す。
【図７Ｂ】表示ルーチンをデータ・ベースから検索する環境及びステージを示す。
【図８】被呼識別を、予め選択した、あるいは後に選択する表示ルーチンのセットを引き起こすために用いる方法を示すフローチャートである。
【図９】特定な発呼者に対する、表示ルーチン・セットの選択方法を示す。
【図１０Ａ】本実施例で使用可能なスクリプト置換の例である。
【図１０Ｂ】本実施例で使用可能なスクリプト置換の例である。
【図１０Ｃ】本実施例で使用可能なスクリプト置換の例である。
【図１０Ｄ】本実施例で使用可能なスクリプト置換の例である。
【図１０Ｅ】本実施例で使用可能なスクリプト置換の例である。
【図１０Ｆ】本実施例で使用可能なスクリプト置換の例である。
【図１０Ｇ】本実施例で使用可能なスクリプト置換の例である。
【図１】
2004533688.tif 000004
【図２】
2004533688.tif 000005
【図３】
2004533688.tif 000006
【図４】
2004533688.tif 000007
【図５】
2004533688.tif 000008
【図６】
2004533688.tif 000009
【図７Ａ】
2004533688.tif 000010
【図７Ｂ】
2004533688.tif 000011
【図８】
2004533688.tif 000012
【図９】
2004533688.tif 000013
【図１０Ａ】
2004533688.tif 000014
【図１０Ｂ】
2004533688.tif 000015
【図１０Ｃ】
2004533688.tif 000016
【図１０Ｄ】
2004533688.tif 000017
【図１０Ｅ】
2004533688.tif 000018
【図１０Ｆ】
2004533688.tif 000019
【図１０Ｇ】
2004533688.tif 000020
【国際公開パンフレット】
2004533688.tif 000021
2004533688.tif 000022
2004533688.tif 000023
2004533688.tif 000024
2004533688.tif 000025
2004533688.tif 000026
2004533688.tif 000027
2004533688.tif 000028
2004533688.tif 000029
2004533688.tif 000030
2004533688.tif 000031
2004533688.tif 000032
2004533688.tif 000033
2004533688.tif 000034
2004533688.tif 000035
2004533688.tif 000036
2004533688.tif 000037
2004533688.tif 000038
2004533688.tif 000039
2004533688.tif 000040
2004533688.tif 000041
2004533688.tif 000042
2004533688.tif 000043
2004533688.tif 000044
2004533688.tif 000045
【国際公開パンフレット（コレクトバージョン）】
2004533688.tif 000046
2004533688.tif 000047
【国際調査報告】
2004533688.tif 000048
2004533688.tif 000049
2004533688.tif 000050
2004533688.tif 000051
2004533688.tif 000052